(57)【要約】【課題】転写部材に転写電圧を印加する手段を、より良好で安定的な転写性能が得られるように設ける。【解決手段】転写手段がシート部材５２を有する画像形成装置１００において、シート部材５２は、導電性シート５２ｂと、導電性シート５２ｂに１次転写電源１６から電圧を供給するための電気的な接続経路（電源接続部５５）と、を備え、電源接続部５５は、中間転写ベルト７の移動方向に対する直交方向において、感光ドラム１上のうちトナー像が形成され得る画像印字領域Ｌｐよりも外側に配置されている。【選択図】図３
2014174466.tif 000002
【特許請求の範囲】
【請求項１】
トナー像を担持する像担持体と、
移動可能なベルトと、
前記ベルトを介して前記像担持体に対向するように配置された転写手段と、
を有し、
前記転写手段がシート部材を有する画像形成装置において、
前記シート部材は、導電性部と、前記導電性部に電源から電圧を供給するための電気的な接続経路と、を備え、
前記接続経路は、前記ベルトの移動方向に対する直交方向において、前記像担持体上のうちトナー像が形成され得る像形成可能範囲よりも外側に配置されていることを特徴とする画像形成装置。
【請求項２】
前記シート部材の前記導電性部は、前記ベルトの移動方向において、前記像担持体と前記ベルトとが当接する範囲に対応する位置に配置されていることを特徴とする請求項１に記載の画像形成装置。
【請求項３】
前記シート部材の前記導電性部は、
前記直交方向における前記像形成可能範囲の内側では、前記ベルトの移動方向において、前記導電性部の上流端部が、前記像担持体と前記ベルトとが当接する範囲の内側に位置し、
前記導電性部の下流端部が、前記像担持体と前記ベルトとが当接する範囲の外側に位置するように配設されていることを特徴とする請求項１又は２に記載の画像形成装置。
【請求項４】
前記シート部材は、非導電性シート部材上に導電性シート部材が固定されたものであり、
前記シート部材の前記導電性部及び前記接続経路は、前記導電性シート部材で形成されていることを特徴とする請求項１乃至３のいずれか１項に記載の画像形成装置。
【請求項５】
前記シート部材の前記導電性部は、前記シート部材のうち前記ベルトの移動方向の下流側の端部に配設され、
前記シート部材のうち前記ベルトの移動方向の上流側の端部は固定されており、
前記シート部材のうち前記上流側の端部と前記下流側の端部との間の領域は、上流側ほど前記ベルトから離れるように、前記ベルトに対して傾斜していることを特徴とする請求項１乃至４のいずれか１項に記載の画像形成装置。
【請求項６】
前記転写手段が、前記シート部材の前記導電性部を前記ベルトに向かって押圧する弾性部材を備えることを特徴とする請求項１乃至５のいずれか１項に記載の画像形成装置。
【請求項７】
トナー像を担持する像担持体と、
移動可能なベルトと、
前記ベルトを介して前記像担持体に対向するように配置された転写手段と、
を有し、
前記転写手段が、導電性のブラシ部材と、前記ブラシ部材を支持し前記ブラシ部材を前記ベルトに押圧する押圧部材と、を有する画像形成装置において、
電源から前記ブラシ部材に電圧を供給するための電気的な接続経路を有し、
前記接続経路は、前記ベルトの移動方向に対する直交方向において、前記像担持体上のうちトナー像が形成され得る像形成可能範囲よりも外側に配置されていることを特徴とする画像形成装置。
【請求項８】
前記接続経路は、前記直交方向において、前記像形成可能範囲よりも外側で前記押圧部材上に接着されていることを特徴とする請求項７に記載の画像形成装置。
【請求項９】
前記ブラシ部材は、導電性を有する繊維と、前記繊維を固定する導電性を有する基布とを有し、
前記繊維が前記ベルトに当接するように配設され、
前記接続経路は、前記基布に電気的に接続されていることを特徴とする請求項７又は８に記載の画像形成装置。
【請求項１０】
前記ブラシ部材は、
前記直交方向における前記像形成可能範囲の内側では、前記ベルトの移動方向において、前記繊維と前記ベルトとが当接する領域のうち上流端部が、前記像担持体と前記ベルトとが当接する範囲の内側に位置し、
前記繊維と前記ベルトとが当接する領域のうち下流端部が、前記像担持体と前記ベルトとが当接する範囲の外側に位置するように配設されていることを特徴とする請求項９に記載の画像形成装置。
【請求項１１】
前記基布は、前記直交方向における前記像形成可能範囲よりも外側まで延びて形成され、前記接続経路を兼ねていることを特徴とする請求項９又は１０に記載の画像形成装置。
【請求項１２】
前記押圧部材は、前記ブラシ部材が配設される非導電性シート部材であり、
前記非導電性シート部材のうち前記ベルトの移動方向の下流側の端部に前記ブラシ部材が配置され、
前記非導電性シート部材のうち前記ベルトの移動方向の上流側の端部が固定され、
前記非導電性シート部材のうち前記上流側の端部と前記下流側の端部との間の領域は、上流側ほど前記ベルトから離れるように、前記ベルトに対して傾斜していることを特徴とする請求項７乃至１１のいずれか１項に記載の画像形成装置。
【請求項１３】
前記基布が前記非導電性シート部材上に固定されることで、前記ブラシ部材は前記非導電性シート部材に配設され、
前記基布の弾性係数が、前記非導電性シート部材の弾性係数よりも低いことを特徴とする請求項１２に記載の画像形成装置。
【発明の詳細な説明】
【技術分野】
【０００１】
本発明は、シート等の記録材上に画像を形成する機能を備えた、例えば、複写機、プリンタなどの画像形成装置に関するものである。
【背景技術】
【０００２】
従来、例えば電子写真方式を用いる画像形成装置では、像担持体としての電子写真感光体（感光体）上に現像剤像としてのトナー像が形成される。そして、トナーの正規の帯電極性とは逆極性の電界が転写手段に与えられ、転写ベルトに担持されている記録材、又は中間転写ベルトの表面に、感光体に担持されているトナー像が静電的に転移される転写工程が行われる。
そのため、転写ベルトや中間転写ベルト等の移動可能なベルトを備えた画像形成装置では、転写手段に対して転写工程に必要な電圧を印加する電圧印加手段が設けられている。この一例として、ベルトを挟んで感光体の対向位置（ベルト体の裏面側）に、電圧印加手段としての高圧電源に接続された転写ローラなどの接触転写部材を転写手段として配置した構成がある。
ところが、転写ローラを用いた画像形成装置では、ベルトと転写ローラとの接触領域（転写ニップ）の形状が制御し難いという課題があった。
【０００３】
このような課題を解決するために特許文献１では、上述の転写部材として、ベルトに面接触する略直方体の弾性体を使用する構成が開示されている。このような構成により、ベルトの移動方向において転写部材とベルトの上下流における接触端位置を制御することができ、安易な構成で、より安定的、より良好な転写性を得ることができるとしている。
また、特許文献２においては、実際に特許文献１に開示の構成を実現しようとした場合に課題となる問題に対して解決策を提示している。即ち、特許文献１に開示の略直方体の転写部材（直方転写体）は装置本体内でベルトの移動方向に移動することなく、ベルト内面と定常的に摺擦することでベルトとの接触が断続的となり転写電界領域が不安定になることが懸念される。さらには、摩擦抵抗の上昇によって破損することも懸念される。
そこで、特許文献２では、転写体が、シート部材と、シート部材を像担持体に押圧するための弾性体と、シート部材を支持する支持部材とから成り、支持部材によってシート部材がある傾斜角度で転写ニップに進入するように支持された構成が開示されている。この構成によれば、転写部材が破損するおそれはなく、安定的に接触し、転写電界を安定化させることができるとしている。
【先行技術文献】
【特許文献】
【０００４】
【特許文献１】特開２００８−３１００５９号公報
【特許文献２】特開２００９−４８０５１号公報
【発明の概要】
【発明が解決しようとする課題】
【０００５】
一般的に、転写体に転写電圧を印加するための手段としては、金属製の接点部材等によって転写体に接続することで電圧を印加するものがある。
しかしながら金属は一般的に転写体として使用される材料の電気抵抗値よりも非常に小さく、電気接点部周辺の転写電界が局所的に変化してしまい、その部分の画像を乱してしまうことが懸念される。特に、特許文献２で開示されるような、シート部材が、ある傾斜角度を持って転写ニップに進入する構成においては、シート部材が転写ニップに進入する周辺で転写電界の影響を受けやすい。
また、金属は一般的に転写体として使用される弾性材料やシート部材に対し弾性係数が高い。そのために、接点部材が接続されている周辺の転写体の弾性係数が変化してしまい、局所的に転写ニップを不安定にしてしまい転写性を損なうことが懸念される。
【０００６】
本発明は上記したような事情に鑑みてなされたものであり、転写部材に転写電圧を印加する手段を、より良好で安定的な転写性能が得られるように設けることを目的とする。
【課題を解決するための手段】
【０００７】
上記目的を達成するために本発明にあっては、
トナー像を担持する像担持体と、
移動可能なベルトと、
前記ベルトを介して前記像担持体に対向するように配置された転写手段と、
を有し、
前記転写手段がシート部材を有する画像形成装置において、
前記シート部材は、導電性部と、前記導電性部に電源から電圧を供給するための電気的な接続経路と、を備え、
前記接続経路は、前記ベルトの移動方向に対する直交方向において、前記像担持体上のうちトナー像が形成され得る像形成可能範囲よりも外側に配置されていることを特徴とする。
【０００８】
また、トナー像を担持する像担持体と、
移動可能なベルトと、
前記ベルトを介して前記像担持体に対向するように配置された転写手段と、
を有し、
前記転写手段が、導電性のブラシ部材と、前記ブラシ部材を支持し前記ブラシ部材を前記ベルトに押圧する押圧部材と、を有する画像形成装置において、
電源から前記ブラシ部材に電圧を供給するための電気的な接続経路を有し、
前記接続経路は、前記ベルトの移動方向に対する直交方向において、前記像担持体上のうちトナー像が形成され得る像形成可能範囲よりも外側に配置されていることを特徴とする。
【発明の効果】
【０００９】
本発明によれば、転写部材に転写電圧を印加する手段を、より良好で安定的な転写性能が得られるように設けることが可能となる。
【図面の簡単な説明】
【００１０】
【図１】実施例１の画像形成装置の構成を示す概略断面図
【図２】実施例１の１次転写部材の詳細構成を示す概略断面図
【図３】実施例１のシート部材の構成を示す概略斜視図
【図４】実施例１の１次転写部の構成を示す概略断面図
【図５】シート部材の他の形態を示す概略斜視図
【図６】１次転写部の他の形態を示す概略断面図
【図７】実施例２のシート部材の構成を示す概略斜視図
【図８】実施例２の１次転写部材の構成を示す概略断面図
【発明を実施するための形態】
【００１１】
以下に図面を参照して、この発明を実施するための形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
本発明は、電子写真方式、或いは静電記録方式を利用して像担持体上に形成されたトナー像をベルト体上、又はベルト体に担持された記録材上に転写する工程を有するレーザビームプリンタ、複写機、ファクシミリ装置等の画像形成装置に関する。
【実施例１】
【００１２】
以下に、実施例１について説明する。
図１は、本実施例の画像形成装置１００の構成を示す概略断面図である。本実施例では、電子写真方式を用いた画像形成装置として、複数の画像形成部を備えたカラーレーザプリンタを例示している。すなわち、本実施例の画像形成装置１００はイエロー、マゼンタ、シアン、ブラックの各色成分に分解された画像情報に従って形成された各色トナー像が、中間転写体上に１次転写されて一旦重ねられた後に、記録材に２次転写される中間転写方式を採用している。
【００１３】
まず、画像形成装置１００の概略構成について説明する。
画像形成装置１００は、複数の画像形成部としてそれぞれイエロー、マゼンタ、シアン、ブラックの各色のトナー像を形成するための４個の画像形成部（ステーション）、即ち、第１，第２，第３，第４の画像形成部Ｓａ，Ｓｂ，Ｓｃ，Ｓｄを有する。
本実施例では、各画像形成部Ｓａ〜Ｓｄの構成及び動作は、それぞれが形成するトナー像の色を除いて実質的に共通である部分が多い。従って、以下の説明において、特に区別を要しない場合は、いずれかの色用に設けられた要素であることを示すために符号に与えた添え字ａ，ｂ，ｃ，ｄは省略して総括的に説明する。
【００１４】
画像形成部Ｓは、像担持体としてのドラム型の感光体（以下、感光ドラム）１を有する。感光ドラム１は、駆動手段（不図示）によって矢印Ｒ１方向（図１では反時計回り）に回転駆動される。本実施例では、感光ドラム１はＯＰＣ（有機光導電体）感光層を有する。画像形成部Ｓは感光ドラム１の周囲に、感光ドラム１を帯電させる帯電手段としての帯電ローラ２、露光手段としての露光装置３、現像手段としての現像装置４を有する。又、画像形成部Ｓは、感光ドラム１の周囲に、転写手段としての１次転写部材５、クリーニング手段としてのクリーニング装置６を有する。
【００１５】
クリーニング装置６は、感光ドラム１上のトナーを掻きとってクリーニングするファーブラシと、ブレード等のクリーニング部材と、クリーニング部材によって感光ドラム１上から除去されたトナー等を回収する回収トナー容器とを有する。
【００１６】
現像装置４は、本実施例では、反転現像方式により静電潜像を現像する。即ち、現像装置４は、感光ドラム１の帯電極性と同極性である正規の極性（本実施例では負極性）に帯電したトナーを、帯電処理された後に感光（露光）によって電荷が減衰した感光ドラム１上の部分（明部）に付着させて、感光ドラム１上にトナー像を形成する。
又、現像装置４は、本実施例では、現像剤として非磁性１成分現像剤、即ち、トナーを用いて現像動作を行う。そして、現像装置４は、現像剤担持体としての現像ローラ４１上に、現像剤規制部材としての現像塗布ブレード（不図示）を用いてトナーを担持させて、感光ドラム１との対向部（現像部）まで搬送するように構成されている。
【００１７】
露光装置３は、レーザ光を多面鏡によって走査させるレーザスキャナユニット、又はＬＥＤアレイ等で構成することができるが、本実施例ではレーザスキャナユニットを用いた。露光装置３は、画像信号に基づいて変調された走査ビーム１８を感光ドラム１上に照射する。
【００１８】
本実施例では、感光ドラム１と、感光ドラム１に作用するプロセス手段としての帯電ローラ２、現像装置４及びクリーニング装置６とは、一体的にカートリッジ化されて画像形
成装置本体（装置本体）に対して着脱可能なプロセスカートリッジ１９を構成している。尚、プロセスカートリッジとは、電子写真感光体と、電子写真感光体に作用するプロセス手段としての帯電手段、現像手段、及びクリーニング手段のうち少なくとも１つとを一体的にカートリッジ化して画像形成装置の本体に対して着脱可能としたものである。
【００１９】
一方、４つの感光ドラム１ａ〜１ｄの全てに対し当接するように、中間転写体として、移動可能な無端状のベルトで構成された中間転写ベルト７が配置されている。中間転写ベルト７と各感光ドラム１ａ〜１ｄとの接触領域（１次転写ニップ、１次転写部）ｎ１ａ〜ｎ１ｄにおいて、各感光ドラム１ａ〜１ｄから中間転写ベルト７へのトナーの転写（１次転写）が行われる。
【００２０】
中間転写ベルトはその張架部材として２次転写対向ローラ７１、駆動ローラ７２、テンションローラ７３の３本のローラにより支持されており、適当なテンションが維持されるように構成されている。
駆動ローラ７２が回転駆動されることにより、中間転写ベルト７は、各１次転写部ｎ１ａ〜ｎ１ｄにおいて感光ドラム１の回転に対して順方向に略同速度で移動する。即ち、中間転写ベルト７は矢印Ｒ２方向（図１では時計回り）に回転する。
【００２１】
中間転写ベルト７を挟んで（介して）各感光ドラム１ａ〜１ｄと対向する位置に、各感光ドラム１ａ〜１ｄに対応する１次転写部材５ａ〜５ｄが配置されている。詳しくは後述するが、１次転写部材５ａ〜５ｄは、中間転写ベルト７のうちトナー像を担持する面とは反対側の面に接触して配置される。以下の説明では、中間転写ベルト７のうちトナー像を担持する面（感光ドラム１に対向する面、外周面）を表面といい、表面とは反対側の面（内周面）を裏面という。
【００２２】
又、中間転写ベルト７を挟んで２次転写対向ローラ７１と対向する位置には、２次転写部材として２次転写ローラ８が、中間転写ベルト７に当接するように配置されている。２次転写ローラ８は、中間転写ベルト７の表面に接触する。中間転写ベルト７と２次転写ローラ８との接触領域（２次転写ニップ、２次転写部）ｎ２において、中間転写ベルト７から記録材Ｐへのトナー像の転写（２次転写）が行われる。
【００２３】
又、帯電ローラ２は、帯電ローラ２への電圧印加手段である帯電電源（不図示）に接続されている。現像装置４の現像ローラ４１は、現像ローラ４１への電圧印加手段である現像電源（不図示）に接続されている。１次転写部材５は、１次転写部材５への電圧印加手段である１次転写電源１６に接続されている。そして、２次転写ローラ８は、２次転写ローラ８への電圧印加手段である２次転写電源１７に接続されている。
【００２４】
次に、フルカラー画像形成時を例にして、画像形成動作について説明する。
画像形成動作がスタートすると、感光ドラム１ａ〜１ｄ、中間転写ベルト７等は、所定のプロセススピードで、それぞれ所定の方向に回転を始める。
【００２５】
感光ドラム１は、帯電ローラ２に帯電電源（不図示）から帯電バイアス電圧が印加されることによって、一様に所定の極性（本実施例では負極性）に帯電される。続いて、帯電した感光ドラム１上には、露光装置３からの走査ビーム１８によって、画像情報に従った静電潜像が形成される。
感光ドラム１上に形成された静電潜像は、感光ドラム１が回転することによって、現像装置４の現像ローラ４１との対向部（現像部）に到達する。
【００２６】
現像装置４内のトナーは、現像剤塗布ブレードによって正規の帯電極性（本実施例では負極性）に帯電されて、現像ローラ４１上に塗布される。そして現像ローラ４１に現像電
源（不図示）より現像バイアス電圧が印加されることによって、感光ドラム１上の静電潜像は負極性のトナーによって可視化され、感光ドラム１上にはトナー像が形成される。
【００２７】
次いで、感光ドラム１上に形成されたトナー像は、１次転写部ｎ１において、中間転写ベルト７上に転写（１次転写）される。この時、１次転写部材５には、１次転写電源１６よりトナーの正規の帯電極性とは逆極性（本実施例では正極性）のＤＣバイアス電圧が印加される。
１次転写工程後に、感光ドラム１上に残留したトナー（１次転写残トナー）は、クリーニング装置６によって感光ドラム１の表面から除去され、回収される。
【００２８】
以上の帯電、露光、現像、１次転写の各工程が、第１〜第４の画像形成部Ｓａ〜Ｓｄにおいて行われることにより、中間転写ベルト７上に各色トナー像が順次重ね合わせて転写され、中間転写ベルト７上に多重画像が形成される。この時、各色の１次転写位置間の距離に応じて、各色毎に一定のタイミングでコントローラ（不図示）からの書き出し信号を遅らせながら、各感光ドラム１ａ〜１ｄ上に露光による静電潜像を形成する。
【００２９】
その後、露光による静電潜像の形成に合わせて、記録材カセット１１に積載されている記録材Ｐは、記録材供給ローラ１２によりピックアップされ、搬送ローラ（不図示）によりレジストローラ１３にまで搬送される。そして、記録材Ｐは中間転写ベルト７上のトナー像に同期して、レジストローラ１３によって２次転写部ｎ２へ搬送される。
この時、２次転写ローラ８には、２次転写電源１７によりトナーの正規の帯電極性とは逆極性（本実施例では正極性）のＤＣバイアス電圧が印加される。これにより、中間転写ベルト７上に担持された４色の多重トナー像は、記録材Ｐ上に一括して転写（２次転写）される。
【００３０】
２次転写工程後に、中間転写ベルト７上に残留したトナー（２次転写残トナー）、及び記録材Ｐが搬送されることによって発生した紙粉等は、ベルトクリーニング手段７４により、中間転写ベルト７の表面から除去され、回収される。
本実施例のベルトクリーニング手段７４においては、中間転写ベルト７に当接して配置されたクリーニング部材としてのウレタンゴム等で形成された弾性を有するクリーニングブレードによって、中間転写ベルト７上の付着物を掻き取る。
トナー像が転写された記録材Ｐは、定着手段としての定着装置１０へと搬送され、ここでその上のトナー像が融解混合されて記録材Ｐに定着された後、フルカラー画像形成物（プリント、コピー）として画像形成装置１００の外部へと排出される。
【００３１】
画像形成装置１００は、所望の単一、又は複数（全てではない）の画像形成部Ｓにおいてのみ画像形成を行うことで、単一、又はマルチカラーの画像を形成することもできる。
尚、本実施例では、２次転写ローラ８としては、直径８ｍｍのニッケルメッキ鋼棒に、中抵抗を有した導電性の発泡スポンジ体を覆設したローラを用いた。又、２次転写ローラ８は、中間転写ベルト７に対して、所定の線圧で当接させ、且つ、中間転写ベルト７の移動方向に対して順方向に略等速度で回転するように配置した。
【００３２】
中間転写ベルト７の材料としては、ゴムや樹脂を好適に用いることができる。本実施例の中間転写ベルト７としては、厚さが６０μｍ程度の中抵抗性を有した樹脂材料で成形された無端ベルト状のフィルムを用いた。
【００３３】
中間転写ベルト７の張架部材としての駆動ローラ７２としては、アルミニウム製の芯金に、カーボンを導電剤として分散したゴムを被覆した直径２５ｍｍ程度のアルミニウム製の金属棒を用いた。中間転写ベルト７の張架部材としてのテンションローラ７３としては、直径２５ｍｍのアルミニウム製の金属棒を用いた。そして、テンションローラ７３の回
転軸方向両端部を付勢することによって中間転写ベルト７にテンションを与えた。又、中間転写ベルト７の張架部材としての２次転写対向ローラ７１としては、アルミニウム製の芯金に、カーボンを導電剤として分散したゴムを被覆した直径２５ｍｍ程度のローラを用いた。
【００３４】
［１次転写部材］
次に、本実施例の画像形成装置１００における１次転写部材５について詳しく説明する。ここで、以下の説明では、中間転写ベルト７の移動方向をベルト移動方向という。また、中間転写ベルト７のベルト表面においてベルト移動方向に直交する方向（直交方向）をベルト幅方向という。ベルト幅方向は、感光ドラム１の回転軸の軸方向と同方向である。
図２は、１次転写部材５の構成を示す概略断面図である。
１次転写部材５は、それぞれ、後述するシート部材５２と弾性体５３とシート支持部材５４とを有している。各１次転写部材５ａ，５ｂ，５ｃ，５ｄの構成は略同一である。
【００３５】
弾性部材としての略直方体である弾性体５３は、圧縮バネ５００によってシート部材５２を介して中間転写ベルト７の裏面に押圧されている。即ち、弾性体５３は、感光ドラム１と対向する位置においてシート部材５２を中間転写ベルト７に向かって押圧している。弾性体５３の一つの面は接触面５３ａとして、シート部材５２の裏面に接触する。ここで、シート部材５２においては、中間転写ベルト７に対向する面を表面といい、表面とは反対側の面を裏面という。
シート部材５２の表面と中間転写ベルト７の間の摩擦係数は、弾性体５３と中間転写ベルト７の間の摩擦係数よりも小さくなるように設定されている。このことにより、弾性体５３がシート部材５２と安定して接触しつつ、シート部材５２と中間転写ベルト７との摺動抵抗を低くすることができる。
【００３６】
また、シート部材５２は導電性を有するシート材であり、１次転写電源１６からの１次転写バイアス電圧（転写電圧）が給電部材を通してシート部材５２から中間転写ベルト７へ供給されることにより１次転写電界が形成されている。即ち、シート部材５２は１次転写部材として機能している。
【００３７】
シート部材５２及び弾性体５３は、シート支持部材５４に接着されることによってシート支持部材５４に支持されている。
本実施例ではシート部材５２のうちベルト移動方向の上流側の端部が、両面テープ等の粘着体（不図示）によってシート支持部材５４に接着支持されると共に、圧接支持するシート抑え部材５８で保持されることで画像形成装置本体（筐体、枠体）に固定されている。
弾性体５３は、上述のシート部材５２を保持した面との間に任意の角度を有した、シート支持部材５４の任意の面に、両面テープ等の粘着体（不図示）によって接着支持される。ここで、シート支持部材５４は弾性体５３よりもベルト移動方向上流側に設けられている。
【００３８】
そして、シート支持部材５４は、シート部材５２が中間転写ベルト７と弾性体５３との間に任意の傾斜角度を成して進入するような角度をもってシート部材５２と弾性体５３を支持している。本実施例では、シート部材５２のうちベルト移動方向上流側の端部とベルト移動方向下流側の端部との間の領域は、ベルト移動方向の上流側ほど中間転写ベルト７から離れるように、中間転写ベルト７に対して傾斜している。
ここで、シート支持部材５４は、板金等の剛性の高い部材で形成されている。シート抑え部材５８は、ビス等によりシート支持部材５４に締結されており、シート部材５２をシート支持部材５４に対して圧接保持している。
このように、シート部材５２は、シート部材５２と中間転写ベルト７の摺動負荷に対し
て十分な耐力を有し良好な位置を確保できるように構成されている。
【００３９】
次に、シート部材５２と１次転写部ｎ１について詳細に説明する。
図３は、シート部材５２の構成を示す概略斜視図であり、図４は、１次転写部ｎ１の構成を示す概略断面図である。各１次転写部ｎ１ａ，ｎ１ｂ，ｎ１ｃ，ｎ１ｄの構成は略同一である。
【００４０】
シート部材５２は、非導電性シート部材上に導電性シート部材が固定されたシート状の部材であり、本実施例では、次のように構成されている。
すなわち、シート部材５２は、絶縁性の樹脂部材である絶縁性シート５２ａの感光ドラム１側（表面側）に、部分的に、転写電圧が印加される導電性部としての導電性シート５２ｂが両面テープ（不図示）等の粘着物で接着されることで構成されている。
本実施例では、導電性シート５２ｂは、シート部材５２のうちベルト移動方向の下流側の端部に配設され、絶縁性シート５２ａを介して弾性体５３によって中間転写ベルト７に向かって押圧されている。また、導電性シート５２ｂは、ベルト移動方向において、感光ドラム１と中間転写ベルト７とが当接する範囲（接触領域）に対応する位置に配置されている。
本実施例では、絶縁性シート５２ａとして、厚みが１００μｍ程度の樹脂材料を使用しており、導電性シート５２ｂには、導電性を有した厚さが２００μｍ程度の樹脂材料を用いている。
【００４１】
ここで、導電性シート５２ｂにおける、ベルト移動方向に対しての好ましい位置関係を図４を用いて説明する。
感光ドラム１と中間転写ベルト７は接触するように設置されているために、感光ドラム１と中間転写ベルト７には、物理的な接触領域（以下、物理ニップ）が存在する。図４において、物理ニップをＡで示している。
【００４２】
シート部材５２は、上述のように導電性シート５２ｂ部が中間転写ベルト７の裏面に接触するように配置されており、弾性体５３は、導電性シート５２ｂを中間転写ベルト７に押圧するように構成されている。
図４では、導電性シート５２ｂの中間転写ベルト７との接触領域の上流端部（以下、接触開始端）をＢ、接触領域の下流端部（以下、接触終了端）をＣで示している。
ここで、ベルト移動方向において、接触開始端Ｂは物理ニップＡの範囲内に位置することが好ましい。また、ベルト移動方向において、接触終了端Ｃは物理ニップＡの範囲外（物理ニップＡよりもベルト移動方向下流側）に位置することが好ましい。
【００４３】
接触開始端Ｂが物理ニップＡの範囲内に位置することで、物理ニップＡの前（ベルト移動方向上流側）における、感光ドラム１と１次転写部材５との間で形成される転写電界の影響を抑制することができる。つまり、物理ニップＡより前に転写電界により感光ドラム１上のトナー像が中間転写ベルト７上に転写されることによる、中間転写ベルト７上のトナー像がぼける画像不良（所謂、飛び散り）を抑制できる。また、上述のように接触終了端Ｃが位置することで、１次転写部材５が、感光ドラム１から中間転写ベルト７が剥離する接触終了端における対向電極の役目をすることとなる。そのため、剥離放電を抑制でき、中間転写ベルト７を除電する除電部材を設けることなく、剥離放電に起因する画像不良を防止できる。
【００４４】
また、ベルト幅方向において、導電性シート５２ｂの幅Ｌは、画像形成装置１００が感光ドラム１（中間転写ベルト７）に印字（画像形成）可能な画像印字領域Ｌｐよりも広い。ここで、画像印字領域Ｌｐは、ベルト幅方向において感光ドラム１上（像担持体上）のうちトナー像が形成され得る像形成可能範囲に相当する。
すなわち、図３に示すように、ベルト幅方向において、導電性シート５２ｂの両端はそれぞれ画像印字領域Ｌｐよりも外側に位置している。
また、ベルト幅方向において、絶縁性シート５２ａの幅は、中間転写ベルト７の幅よりも短い。すなわち、ベルト幅方向において、絶縁性シート５２ａの両端はそれぞれ中間転写ベルト７の両端よりも内側に位置しており、導電性シート５２ｂにおいても、中間転写ベルト７の両端よりも内側に位置することになる。
【００４５】
図３に示すように、導電性シート５２ｂと１次転写電源１６とは、電源接続部５５及び金属接点板５６ａを介して電気的に接続されている。電源接続部５５はシート部材５２に配設されるもので、１次転写電源１６から導電性シート５２ｂに電圧を供給するための電気的な接続経路に相当する。
本実施例では、導電性シート５２ｂのうち、ベルト幅方向で画像印字領域Ｌｐよりも外側に位置する領域が、ベルト移動方向上流側に延びるように形成されることで、電源接続部５５が構成されている。すなわち、導電性シート５２ｂ及び電源接続部５５は、導電性シート部材で形成されており、本実施例では、特に、導電性シート部材で一体に形成されている。
このように本実施例では、電源接続部５５が、シート部材５２において、ベルト幅方向で画像印字領域Ｌｐよりも外側の領域に配置されていることを特徴としている。
【００４６】
ここで、電源接続部５５は、図３では、１箇所設けた場合について示しているが、これに限るものではなく、ベルト幅方向で画像印字領域Ｌｐよりも外側の両端領域にそれぞれ設けられていてもよい。また、その配置においても特に限定されるものではなく、電源接続部５５が複数箇所に設けられるものであってもよい。
図５は、シート部材５２の他の形態を示す概略斜視図である。
電源接続部５５は、図５に示すように、導電性シート５２ｂが絶縁性シート５２ａの裏面に回り込むことで形成され、絶縁性シート５２ａの裏面側で、金属接点板５６ｂ等と電気的に接続されるような構成であってもよい。
【００４７】
ここで、電源接続部５５が、シート部材５２において、ベルト幅方向で画像印字領域Ｌｐの内側にあった場合の懸念点について説明する。
例えば、図３に示す電源接続部５５のように、導電性シート５２ｂの一部をベルト移動方向に延長することで、１次転写電源１６との電気的接続を得る構成において、電源接続部５５が画像印字領域Ｌｐ内にあった場合の１次転写部ｎ１を図６に示す。
この場合、図６に示すように、ベルト移動方向に対して、導電性シート５２ｂと中間転写ベルト７の接触開始端Ｂよりも上流側に導電性シート５２ｂが介在することになる。
【００４８】
ここで、接触開始端Ｂよりベルト移動方向上流側の転写電界強度は、中間転写ベルト７と導電性シート５２ｂとの空間距離に比例して減衰する。
よって、図６においては、接触開始端Ｂよりもベルト移動方向上流側の転写電界強度は、中間転写ベルト７と導電性シート５２ｂとの空間距離が遠くなるにつれて比例的に減衰していくこととなる。
それに対して本実施例における、図４に示す１次転写部の構成においては、接触開始端Ｂよりもベルト移動方向上流側には導電性シート５２ｂが介在しないため、転写電界強度は急激に減衰することとなる（特許文献１参照）。
【００４９】
このように、接触開始端Ｂよりもベルト移動方向上流側における転写電界強度は電源接続部５５の有無で差が発生する。すなわち、シート部材５２のうち電源接続部５５が、ベルト幅方向で画像印字領域Ｌｐの内側に位置した場合には、電源接続部５５の周囲のみ転写性に影響を受け、画像上の品質が低下してしまうことが懸念される。
【００５０】
また、図５に示すような金属接点板５６ｂを、シート部材５２においてベルト幅方向で画像印字領域Ｌｐの内側で電源接続部５５として形成した場合の懸念点について説明する。
一般的に、金属接点板５６ｂに使用した金属材料に対し、１次転写部材５を構成するシート部材５２の材質である樹脂材料は弾性係数が低い。これは、シート部材５２の感光ドラム１に対する押圧力が、金属接点板５６ｂの影響を受けてしまい、転写圧の均一性に問題が生じてしまうおそれがあることを意味している。転写圧の不均一が生じた場合には、画像品質が低下してしまうことが懸念される。
【００５１】
以上説明したように本実施例では、シート部材５２において、ベルト幅方向で画像印字領域Ｌｐよりも外側の領域に電源接続部５５が配置されている。このことにより、より良好で安定的な転写性能が得られ、より安定した高品質の画像が得られる画像形成装置を、より簡易な構成で提供することが可能となる。また、シート部材５２において、ベルト幅方向で画像印字領域Ｌｐよりも外側の領域に最小幅の電源接続部５５を設けることで、画像形成装置の本体サイズの拡大を最小限に抑えることができる。
【実施例２】
【００５２】
以下に、実施例２について説明する。なお、本実施例においては、実施例１に対して異なる構成部分について述べることとし、実施例１と同様の構成部分については、その説明を省略する。
図７は、本実施例のシート部材５７の構成を示す概略斜視図であり、図８は、本実施例の１次転写部材５の構成を示す概略断面図である。
【００５３】
まず、図７を用いて本実施例の１次転写部材５について説明する。
本実施例のシート部材５７は、絶縁性の樹脂部材である絶縁性シート５７ａのうちベルト移動方向の下流側の端部に、導電性のブラシ部材としての導電性ブラシ５７ｂが、両面テープ（不図示）等の粘着物で部分的に接着されたシート状部材である。ここで、絶縁性シート５７ａ（非導電性シート部材）は、導電性ブラシ５７ｂを支持し導電性ブラシ５７ｂを中間転写ベルト７に押圧する押圧部材に相当する。
導電性ブラシ５７ｂは、導電性を有する基布に、導電性を有する繊維（導電糸）が織り込まれて固定されたものであり、この繊維部分（以下、起毛部５７ｄ）が中間転写ベルト７に当接するように構成されている。
【００５４】
本実施例では、絶縁性シート５７ａには、厚みが１００μｍ程度の樹脂材料を使用している。また、導電性ブラシ５７ｂには、低抵抗な導電性を有した基布５７ｃと、パイル長が１．７ｍｍの導電ナイロン製の導電糸を基布５７ｃに織り込んで形成された起毛部５７ｄとを有するブラシ状の部材を使用している。
ここで、起毛部５７ｄは、シート部材５７において、ベルト幅方向で画像印字領域Ｌｐよりも幅が広くなるように形成されている。
【００５５】
図７に示すように、導電性ブラシ５７ｂと１次転写電源１６とは、電源接続部５５及び金属接点板５６ａを介して電気的に接続されている。電源接続部５５は基布５７ｃ及び金属接点板５６ａに電気的に接続されることで、導電性ブラシ５７ｂと１次転写電源１６とを電気的に接続している。
本実施例では、基布５７ｃのうち、ベルト幅方向で画像印字領域Ｌｐよりも外側に位置する領域が、ベルト移動方向上流側に延びるように形成されることで、基布５７ｃが電源接続部５５を兼ねるように構成されている。
このように本実施例においても、電源接続部５５は、シート部材５７において、ベルト幅方向で画像印字領域Ｌｐよりも外側の領域に配置されている。そして、本実施例では、電源接続部５５は、ベルト幅方向において、画像印字領域Ｌｐよりも外側で絶縁性シート
５７ａ上（押圧部材上）に接着されている。
電源接続部５５が、ベルト幅方向で画像印字領域Ｌｐよりも外側の領域に配置されることによる効果や、他の形態に関しては、実施例１で説明した通りである。
【００５６】
次に、図８を用いて、本実施例の１次転写部ｎ１について説明する。
感光ドラム１と中間転写ベルト７は接触するように設置されているために、感光ドラム１と中間転写ベルト７には、物理的な接触領域（物理ニップＡ）が存在する。
【００５７】
導電性ブラシ５７ｂは、起毛部５７ｄ部を介して中間転写ベルト７の裏面に接触しており、図８においては、導電性ブラシ５７ｂの中間転写ベルト７との接触開始端をＢ、接触終了端をＣで示している。
本実施例においても、実施例１同様、接触開始端Ｂは物理ニップＡの範囲内に位置するのが好ましく、接触終了端Ｃは物理ニップＡの範囲外、かつ物理ニップＡよりもベルト移動方向下流側に位置することが好ましい。
また、本実施例においても実施例１同様、シート支持部材５４は、シート部材５７が中間転写ベルト７と弾性体５３との間に任意の傾斜角度を成して進入するような角度をもってシート部材５７と弾性体５３を支持している。
【００５８】
さらに本実施例においては、導電性ブラシ５７ｂを使用することにより、中間転写ベルト７と絶縁性シート５７ａとの間の距離Ｅを、実施例１で説明した導電性シート５２ｂよりも大きく確保することができる。
実施例１においては、接触開始端Ｂの位置がベルト移動方向下流側に偏って配置された場合、絶縁性シート５２ａと中間転写ベルト７は常時摺擦することとなる。一般的に、絶縁性シート５２ａ，５７ａに使用される樹脂材料は、実施例１で使用される導電性樹脂材料や本実施例で使用される導電性ナイロン起毛部に対し、中間転写ベルト７に対する摩擦係数が高くなる。このため、上述した条件においては、絶縁性シート５２ａ，５７ａと中間転写ベルト７の摺動抵抗は高くなる。
【００５９】
よって、距離Ｅを大きく確保できることで、摩擦抵抗の高い絶縁性シート５７ａと中間転写ベルト７との摺擦を防ぎ、転写ニップの不安定化、１次転写部材の破損を回避することができるという効果が得られる。
【００６０】
また、本実施例では、基布５７ｃの弾性係数が、絶縁性シート５７ａの弾性係数よりも低くなるように構成されている。
これにより、シート部材５７の感光ドラム１に対する押圧力においては、基布５７ｃから受ける影響を抑えることができるので、転写圧の均一性をより良好にすることができ、画像品質の低下を抑制することができる。
【００６１】
本発明に係る画像形成装置は、上述の実施例１，２に限定されるものではなく、本発明の要旨を逸脱しない範囲内において種々の変更を加えてもよい。すなわち、ベルト幅方向で画像印字領域Ｌｐよりも外側の領域に電源接続部５５が配置されるものであればよい。
上述した実施例１，２においては、中間転写方式の画像形成装置１００について説明したが、これに限るものではない。すなわち、本発明は、ベルトとして中間転写ベルト７の代わりに記録材を担持搬送する搬送ベルトを備えた直接転写方式の画像形成装置にも好適に適用できる。直接転写方式の画像形成装置では、各画像形成部へと搬送ベルトにて搬送（担持搬送）される記録材に対して、それぞれ感光ドラムの表面に形成されたトナー像が順次直接転写されてカラー画像が形成される。斯かる画像形成装置は周知であるので、これ以上の説明は省略する。また、本発明は、モノカラーの画像形成装置においても好適に適用することができる。
【符号の説明】
【００６２】
１…感光ドラム、７…中間転写ベルト、１６…１次転写電源、５２…シート部材、５２ｂ…導電性シート、５３…弾性体、５５…電源接続部、１００…画像形成装置、Ｌｐ…画像印字領域
【図１】
2014174466.tif 000003
【図２】
2014174466.tif 000004
【図３】
2014174466.tif 000005
【図４】
2014174466.tif 000006
【図５】
2014174466.tif 000007
【図６】
2014174466.tif 000008
【図７】
2014174466.tif 000009
【図８】
2014174466.tif 000010